(57)【要約】【課題】互いに材質が異なる框材を備えていても加熱または冷却による歪みが生じ難い障子等を提供する。【解決手段】対面する２枚の板ガラスがその周縁部に金属製の骨材を介して接合された複層ガラスと、前記複層ガラスの周端部を収容し、互いに材質が異なる複数種類の框材と、を有し、前記框材は各々前記骨材に固定されている。【選択図】図６
2015197004.tif 000002
【特許請求の範囲】
【請求項１】
対面する２枚の板ガラスがその周縁部に不燃性または難燃性の骨材を介して接合された複層ガラスと、
前記複層ガラスの周端部を収容し、互いに材質が異なる複数種類の框材と、
を有し、
前記框材は各々前記骨材に固定されていることを特徴とする障子。
【請求項２】
請求項１に記載の障子と、
構造体に固定されて前記障子により閉塞される開口を形成する枠体と、
を備えた建具であって、
前記複数種類の框材のうち前記障子が前記開口を閉塞した際に、前記枠体に沿って係合しない非係合框材は、前記枠体に沿って係合する係合框材と前記材質が異なることを特徴とする建具。
【請求項３】
請求項２に記載の建具であって、
前記非係合框材の前記材質は金属であり、前記係合框材の前記材質は合成樹脂であることを特徴とする建具。
【請求項４】
請求項２または請求項３に記載の建具であって、
前記非係合框材は、召合せ框であることを特徴とする建具。
【請求項５】
請求項２または請求項３に記載の建具であって、
前記非係合框材は、突合せ框であることを特徴とする建具。
【発明の詳細な説明】
【技術分野】
【０００１】
本発明は、複層ガラスの周端部が框材に収容された障子および建具に関する。
【背景技術】
【０００２】
複層ガラスの周端部が框材に収容された障子および建具としては、例えば、樹脂枠体内に、合成樹脂製の下框、上框および縦框を框組みした框体に複層ガラス（ガラス体）を納めてなる内障子および外障子を引違い状で走行自在となるように納めた樹脂サッシが知られている（例えば、特許文献１参照）。下框、上框及び縦框はいずれも断面形状が略同形状になるように形成されており、それぞれ傾斜状に形成された下框、上框、縦框の各端部同士が突き合わされて溶着にて連結されて框体をなしている。
【０００３】
このような障子および建具は、枠体が形成する開口を閉塞するように内障子および外障子を閉じると、各障子の下框、上框と戸先側の縦框は、枠体に沿って係合しているため変形し難いが、各々の召合せ部となる縦框は、上下の端部のみが枠体と係合しているだけなので、変形しやすい。このため、上記障子の召合せ部となる縦框には、互いに対向する部位にそれぞれアルミニウムなどの金属製の煙返し部材がそれぞれ固定されている。
【先行技術文献】
【特許文献】
【０００４】
【特許文献１】特許第４０２７９２０号公報
【発明の概要】
【発明が解決しようとする課題】
【０００５】
互いに連結されて框体をなす下框、上框および縦框等の框材の材質が互いに相違しており、各框材の端部同士を溶着にて強固に連結できない場合には、各框の端部同士をねじ固定にて連結する方法がある。このとき、例えば、真夏の日照等により加熱されて各框材が伸長した際に、各々の連結部に応力が作用し、框材が変形または破損するおそれがあるという課題がある。
【０００６】
本発明は、かかる課題に鑑みてなされたものであり、その目的とするところは、互いに材質が異なる框材を備えていても加熱または冷却による歪みが生じ難い障子及びこの障子を備えた建具を提供することにある。
【課題を解決するための手段】
【０００７】
かかる目的を達成するために本発明の障子は、対面する２枚の板ガラスがその周縁部に不燃性または難燃性の骨材を介して接合された複層ガラスと、前記複層ガラスの周端部を収容し、互いに材質が異なる複数種類の框材と、を有し、前記框材は各々前記骨材に固定されていることを特徴とする障子である。
【０００８】
このような障子によれば、複層ガラスの周端部を収容し互いに材質が異なる複数種類の框材は、複層ガラスの２枚の板ガラスの周縁部に設けられて２枚の板ガラスを接合する不燃性または難燃性の骨材に各々固定されているので、框材同士を接合する必要はない。このため、たとえ複層ガラスの周端部を収容し材質が互いに異なる複数種類の框材が加熱または冷却されたとしても、各框材が複層ガラスの骨材に固定されて互いに連結されていないので、各々の伸縮を、隣り合う框材が規制しないため歪みが生じ難い障子を提供することが可能である。
【０００９】
かかる障子と、構造体に固定されて前記障子により閉塞される開口を形成する枠体と、を備えた建具であって、前記複数種類の框材のうち前記障子が前記開口を閉塞した際に、前記枠体に沿って係合しない非係合框材は、前記枠体に沿って係合する係合框材と前記材質が異なることが望ましい。
【００１０】
このような建具によれば、構造体に固定された枠体に沿って係合する係合框材は障子を閉じた際には変形しにくい。一方枠体に沿って係合しない非係合框材は、障子を閉じた状態であっても変形しやすい。このため、非係合框材を係合框材より変形しにくい材質にて形成することにより、障子の変形を効率よく抑えることが可能である。
【００１１】
かかる建具であって、前記非係合框材の前記材質は金属であり、前記係合框材の前記材質は合成樹脂であることが望ましい。
このような建具によれば、非係合框材は金属製なので、火炎などに晒されたとしても変形を抑えることが可能であり、係合框材は合成樹脂製なので、全ての框材がたとえば金属などにて形成された建具より、断熱性が高い建具を提供することが可能である。
【００１２】
かかる建具であって、前記非係合框材は、召合せ框であることが望ましい。
召合せ框は、室内外の境界部分に位置するので、召合せ框を金属製の部材にすることにより変形しにくくなり、密閉性に優れた建具を提供することが可能である。
【００１３】
かかる建具であって、前記非係合框材は、突合せ框であることとしてもよい。
このような建具によれば、引分け戸や４枚建などの引戸の障子が備える突合せ框は室内外の境界部に位置するので、引分け戸や４枚建などの引戸においても、より密閉性を向上させることが可能である。
【発明の効果】
【００１４】
本発明によれば、材質が互いに異なる框材を備えていても加熱または冷却による歪みが生じ難い障子及びこの障子を備えた建具を提供することが可能である。
【図面の簡単な説明】
【００１５】
【図１】本実施形態に係る建具の縦断面図である。
【図２】本実施形態に係る建具の横断面図である。
【図３】本実施形態に係る障子の縦断面図である。
【図４】本実施形態に係る障子の横断面図である。
【図５】内障子の召合せ框を示す横断面図ある。
【図６】複層ガラスへの框材の取り付け方を示す概念図である。
【図７】突合せ框を示す横断面図である。
【発明を実施するための形態】
【００１６】
以下、本発明の一実施形態に係る障子およびこの障子を備えた建具について図面を参照して説明する。
【００１７】
本実施形態の建具１は、図１、図２に示すように、構造物としての建物の躯体２に固定され、矩形状に枠組みされた合成樹脂製の枠体１０に設けられたレール１１ａ、１２ａに沿って内障子３および外障子３が移動する引違い窓用の建具１である。
【００１８】
以下の説明においては、建物等に取り付けられた状態の建具１を室内側から見たときに、上下となる方向を上下方向、左右となる方向を左右方向または障子の幅方向、室内外方向である奥行き方向を見込み方向として示す。また、建具１が備える各部材は、単体の状態であっても建物等に取り付けられた状態にて上下方向、左右方向、奥行き方向となる方向にて方向を特定して説明する。
【００１９】
建具１は、矩形状をなす枠体１０と、枠体１０に設けられたレール１１ａ、１２ａに沿って移動する内障子（以下、障子という）３および外障子（以下、障子という）３を有している。枠体１０は、下枠１１、上枠１２および左右の縦枠１３が矩形状をなすように枠組みされて形成されている。下枠１１、上枠１２および左右の縦枠１３はいずれも押出成形部材であり、各々長手方向に沿う中空部を有し、ほぼ同じ断面形状をなしている。下枠１１、上枠１２および左右の縦枠１３が各々備える中空部内には、ほぼ全長に渡って不燃性であるステンレス製の補強部材１４が設けられている。
【００２０】
障子３は、図３、図４に示すように、互いに対面する２枚の板ガラス１５間の周縁部に鉄製の骨材１６が介装され板ガラス１５と骨材１６とが接合された複層ガラス１７と、複層ガラス１７の周端部を収容する４本の框材２０、２１、２２、２３とを有している。
【００２１】
複層ガラス１７は、矩形状をなす２枚の板ガラス１５が、見込み方向に間隔を隔てて対面し、２枚の板ガラス１５間には全周に渡って周縁部に介装された鉄製の骨材１６と板ガラス１５とが接合材としてのシーラント１８により接合されている。２枚の板ガラス１５間にて、各板ガラス１５の四方の周縁部に設けられる骨材１６は、同一の断面形状をなしている。
【００２２】
骨材１６は、図３、図４に示すように、複層ガラス１７の２枚の板ガラス１５間にて当該複層ガラス１７の周端面１７ａに露出する外周壁部１６ａと、外周壁部１６ａと面外方向に間隔を隔てるとともに２枚の板ガラス１５の各々と対向する２つの対向部１６ｂと、外周壁部１６ａと２つの対向部１６ｂとを各々連結する２つの連結部１６ｃと、が複層ガラス１７の中央側に向かって開放された溝状をなしている。この骨材１６は、鉄製の板材をプレス加工により折り曲げて形成されており、２枚の板ガラス１５の各々と対向する２つの対向部１６ｂは、ロール成形により二重に折り重ねられている。
【００２３】
外周壁部１６ａは、２枚の板ガラス１５の間隔より狭い幅に形成され、外周壁部１６ａの見込み方向における両縁から、板ガラス１５との間を気密・水密するシール１９を介して対向する対向部１６ｂとを連結する連結部１６ｃが形成されている。このため、連結部１６ｃは、外周壁部１６ａから各々の対向部１６ｂに向かって各板ガラス１５との間隔が狭くなる傾斜をなしており、各板ガラス１５と連結部１６ｃとにより形成される空隙にシーラント１８が充填されている。
【００２４】
複層ガラス１７の２枚の板ガラス１５間の空間内には、複層ガラス１７の下側の骨材１６の対向部１６ｂ間に、２枚の板ガラス１５間の空間内を除湿するための乾燥材３２が設けられている。
【００２５】
４本の框材２０、２１、２２、２３は、複層ガラス１７の上端部を収容する上框２０と、複層ガラス１７の下端部を収容する下框２１と、複層ガラス１７の戸先側の端部を収容する戸先框２２と、複層ガラス１７の召合せ側の端部を収容する召合せ框２３である。
【００２６】
上框２０は、合成樹脂製の押出成形部材であり、下部に下方に開放されて複層ガラス１７の上端部を収容するガラス収容溝２０ａを有し、上部に、ガラス収容溝２０ａと反対側となる上方に開放されて、枠体１０の上レール１２ａと係合するレール収容溝２０ｂを有している。
【００２７】
下框２１は、合成樹脂製の押出成形部材であり、上部に上方に開放されて複層ガラス１７の下端部を収容するガラス収容溝２１ａを有し、下部に、ガラス収容溝２１ａと反対側となる下方に開放されて、枠体１０の下レール１１ａと係合するレール収容溝２１ｂを有している。
【００２８】
戸先框２２は、合成樹脂製の押出成形部材であり、召合せ框２３側に向かって開放されて複層ガラス１７の戸先側の端部を収容するガラス収容溝２２ａを有し、ガラス収容溝２２ａと反対側となる縦枠１３側に向かって開放されて、枠体１０の縦枠１３において枠体１０に囲まれた空間側に突出する突出部１３ａが入り込む突出部収容溝２２ｂを有している。
【００２９】
召合せ框２３は、戸先側に向かって開放されて複層ガラス１７の召合せ側の端部を収容するガラス収容溝２３ａを有し、ガラス収容溝２３ａと反対側には、平板状のカバー材２４により閉塞されて上下方向に貫通する中空部２３ｂが備えられている。
【００３０】
上框２０、下框２１、戸先框２２および召合せ框２３は、上框２０、下框２１、戸先框２２が有するレール収容溝２０ｂ、２１ｂまたは突出部収容溝２２ｂおよび召合せ框２３が有する中空部２３ｂに設けられた不燃性であるステンレス製の補強部材２５とともに、複層ガラス１７の骨材１６に固定されている。補強部材２５は、断面コ字状をなして各框材２０、２１、２２、２３の長手方向に沿ってほぼ全域に渡って設けられており、各框材２０、２１、２２、２３が複層ガラス１７に取り付けられた状態で障子３の外周側に、コ字状の補強部材２５において開放された側が向くように取り付けられる。
【００３１】
上框２０、下框２１および戸先框２２は、枠体１０にて形成される開口１０ａが障子３により閉塞されると、上框２０及び下框２１のレール収容溝２０ｂ、２１ｂに上レール１２ａまたは下レール１１ａが収容され、戸先框２２の突出部収容溝２２ｂに突出部１３ａが収容されることにより、枠体１０に沿って係合する。すなわち、上框２０、下框２１および戸先框２２が枠体１０に沿って係合する係合框材に相当する。係合框材である上框２０、下框２１および戸先框２２は、開口１０ａを障子３が閉塞している状態で、躯体２に固定された枠体１０と、その長手方向のほぼ全域にて係合しているので、複層ガラス１７における面外方向に変形し難い。
【００３２】
召合せ框２３は、枠体１０にて形成される開口１０ａが障子３により閉塞された際に、上端部及び下端部のみが上枠１２または下枠１１と係合する。すなわち、召合せ框２３が枠体１０に沿って係合しない非係合框材に相当する。このため、非係合框材である召合せ框２３は、開口１０ａを障子３が閉塞している状態であっても、上框２０、下框２１および戸先框２２よりも、複層ガラス１７における面外方向に変形し易い。このため、召合せ框２３およびカバー材２４は、上框２０、下框２１および戸先框２２と異なりアルミニウム製の押出成形部材で構成されている。
【００３３】
内障子３と外障子３とにおいて、上框２０同士、下框２１同士および戸先框２２同士はそれぞれ同形状であるが、召合せ框２３については、図５に示すように、内障子３の召合せ框３３は、補強部材２５が設けられている中空部３３ｂの室内側に突出する室内側中空部３３ｊを有している。この室内側中空部３３ｊにより、室内側からの火炎に対する防火性が向上するとともに風荷重に対する剛性も高められている。また、召合せ框２３、３３は、内障子３及び外障子３を閉じたときに室内側から見える部位に、アルミニウムの表面を覆うように化粧カバー２３１、３３１が設けられている。内障子３の化粧カバー３３１には、外障子３のカバー材２４に対応する部位も一体に形成されている。
【００３４】
上框２０、下框２１、戸先框２２および召合せ框２３が有するガラス収容溝２０ａ、２１ａ、２２ａ、２３ａは、複層ガラス１７における周端部の室内側の面と対向する室内対向部２０ｃ、２１ｃ、２２ｃ、２３ｃと、複層ガラス１７における周端部の室外側の面と対向する室外対向部２０ｄ、２１ｄ、２２ｄ、２３ｄと、室内対向部２０ｃ、２１ｃ、２２ｃ、２３ｃと室外対向部２０ｄ、２１ｄ、２２ｄ、２３ｄとをガラス収容溝２０ａ、２１ａ、２２ａ、２３ａの底側にて見込み方向に連結する連結部２０ｅ、２１ｅ、２２ｅ、２３ｅとにより形成されている。
【００３５】
上框２０、下框２１、戸先框２２および召合せ框２３におけるガラス収容溝２０ａ、２１ａ、２２ａ、２３ａおよびガラス収容溝２０ａ、２１ａ、２２ａ、２３ａ内に複層ガラス１７が収容される構造は同じなので、ここでは、下框２１を例に挙げて説明する。以下の説明において、上框２０、戸先框２２および召合せ框２３のガラス収容溝２０ａ、２２ａ、２３ａにおいて下框２１のガラス収容溝２１ａの各部位と対応する部位には、同一のアルファベットを、各框材を示す符号に付して示すものとする。
【００３６】
下框２１のガラス収容溝２１ａは、室内対向部２１ｃの室外側面２１ｆ、室外対向部２１ｄの室内側面２１ｇおよび室外側面２１ｆと室内側面２１ｇとを繋ぐ底面２１ｈにて形成されている。室外側面２１ｆと室内側面２１ｇとの上端部には、互いに対向する側に向かって突出させて、ガラス収容溝２１ａに収容された複合ガラス１７に接触するシール部２６が一体に設けられている。また、底面２１ｈには、見込み方向における中央から振り分けた位置に、下框２１の長手方向に沿って上方に突出する２本の突出片２１ｉが平行に設けられている。２本の突出片２１ｉの間隔は、下框２１を複層ガラス１７の骨材１６に固定するためのビス２７のねじ部の直径より広く設けられている。
複層ガラス１７は、ガラス収容溝２１ａ内に設けられる不燃性であるステンレス製の遮炎部材２８の内側に収容される。
【００３７】
遮炎部材２８は、室内対向部２１ｃと近接して対面する室内板部２８ａと、室内板部２８ａと繋がって突出片２１ｉより室内側の連結部２１ｅに当接される内底板部２８ｂと、室外対向部２１ｄと近接して対面する室外板部２８ｃと、室外板部２８ｃと繋がって突出片２１ｉより室外側の連結部２１ｅに当接される外底板部２８ｄと、２本の突出片２１ｉ間に渡るように配置される中央板部２８ｅと、中央板部２８ｅと内底板部２８ｂおよび外底板部２８ｄとをそれぞれ繋ぐ傾斜面をなす傾斜板部２８ｆとを有している。
【００３８】
下框２１、戸先框２２および召合せ框２３では、遮炎部材２８の内底板部２８ｂおよび外底板部２８ｄと複層ガラス１７との間に、合成樹脂製のセッティングブロック２９と熱膨張性黒鉛３０とを介して複層ガラス１７が収容される。下框２１においてセッティングブロック２９は、例えば、左右方向の両端部に設けられており、戸先框２２および召合せ框２３においてセッティングブロック２９は、例えば、上下方向の中央部に設けられている。
【００３９】
熱膨張性黒鉛３０は、下框２１、戸先框２２および召合せ框２３の長手方向において、内底板部２８ｂと複層ガラス１７との間にてセッティングブロック２９が設けられていない部位に貼り付けられている。本実施形態では、セッティングブロック２９は、複層ガラス１７をなす２枚の板ガラス１５にそれぞれ当接するように設けられている。また上框２０には、内底板部２８ｂと複層ガラス１７との間に、上框２０の長手方向における全域に渡って熱膨張性黒鉛３０が設けられている。
【００４０】
下框２１は、セッティングブロック２９および熱膨張性黒鉛３０が貼り付けられた遮炎部材２８が装着された複層ガラス１７の下端部が、ガラス収容溝２１ａに挿入されるように配置され、レール収容溝２１ｂ内に配置された補強部材２５とともに、図６に示すようにレール収容溝２１ｂ側から進入するビス２７が補強部材２５、連結部２１ｅ、遮炎部材２８を貫通して骨材１６に螺合されることにより複層ガラス１７に固定される。
【００４１】
上框２０は、熱膨張性黒鉛３０が貼り付けられた遮炎部材２８が装着された複層ガラス１７の上端部が、ガラス収容溝２０ａに挿入されるように配置され、レール収容溝２０ｂ内に配置された補強部材２５とともに、図６に示すようにレール収容溝２０ｂ側から進入するビス２７が補強部材２５、連結部２０ｅ、遮炎部材２８を貫通して骨材１６に螺合されることにより複層ガラス１７に固定される。
【００４２】
戸先框２２および召合せ框２３は、セッティングブロック２９および熱膨張性黒鉛３０が貼り付けられた遮炎部材２８が装着された複層ガラス１７の側端部が、ガラス収容溝２２ａ、２３ａに挿入されるように配置され、突出部収容溝２２ｂまたは中空部２３ｂ内に配置された補強部材２５とともに、図６に示すように突出部収容溝２２ｂまたは中空部２３ｂ側から進入するビス２７が補強部材２５、連結部２２ｅ、２３ｅ、遮炎部材２８を貫通して骨材１６に螺合されることにより複層ガラス１７に固定される。
【００４３】
すなわち、上框２０、下框２１、戸先框２２および召合せ框２３はいずれも複層ガラス１７の骨材１６にそれぞれ固定されており、これら框材２０、２１、２２、２３同士は、互いに連結されていない。
【００４４】
本実施形態の障子３及び建具１によれば、複層ガラス１７の周端部を収容する上框２０、下框２１、戸先框２２はいずれも合成樹脂製であり、召合せ框２３はアルミニウム製なので、全ての框材をアルミニウム製とする場合より高い断熱性を備えることができる。また、障子３を閉じた際に枠体１０と、長手方向のほぼ全域にて係合する上框２０、下框２１、戸先框２２は合成樹脂製とし、上下の端部のみが係合する召合せ框２３はアルミニウム製とすることにより、高い剛性を備えた障子３を実現することが可能である。本実施形態においては、複層ガラス１７が備える骨材１６を鉄製とし、複層ガラス１７自身が高い剛性を備えて障子３の強度を担保できるので、上框２０、下框２１、戸先框２２および召合せ框２３に剛性を高めるための、開口面積の大きな中空部を備える必要がない。このため、各框材２０、２１、２２、２３、３３のサイズ、特に見付け幅を小さくすることができるので、意匠性に優れた障子３及び建具１を提供することが可能である。
【００４５】
また、上框２０、下框２１、戸先框２２および召合せ框２３はいずれも、複層ガラス１７の２枚の板ガラス１５の周縁部に設けられて、２枚の板ガラス１５を接合する金属製の骨材１６にそれぞれ固定されているので、たとえば、火災時の火炎や真夏の日照または真冬の低温などにより上框２０、下框２１、戸先框２２および召合せ框２３の各々が伸縮したとしても、障子３の変形を抑えることが可能である。すなわち、互いに隣り合う框材２０、２１、２２、２３同士が各々の伸縮を規制せず各々独立して伸縮するので、障子３が歪むことを防止することが可能である。このため、互いに材質が異なる框材２０、２１、２２、２３を備える構成であっても加熱または冷却による歪みが生じ難い障子３及びこの障子３を備えた建具１を提供することが可能である。
【００４６】
上記実施形態においては、上框２０、下框２１、戸先框２２を合成樹脂製とし、召合せ框２３のみをアルミニウム製としたが、これに限るものではなく、ガラスなどの面材の周端部を収容して障子を形成する複数の框材が互い異なる材質にて形成されている場合に、伸縮量が相違しても障子に生じる歪みを抑えることが可能である。
【００４７】
上記実施形態においては、内障子３と外障子３とを有する引違い窓用の建具１を例に挙げて説明したが、例えば、引分け戸や４枚建などの引戸に設けられる障子が有する、図７に示すような突合せ框３１や、開き窓や上げ下げ窓などに用いられる障子であって複数の框材が複層ガラスに各々固定される障子であっても構わない。
【００４８】
また、各框材が、合成樹脂またはアルミニウムの単一の材質にて形成されている例について説明したが、各々または１つの框材が、例えば、合成樹脂製の部材とアルミニウム製の部材とを組み合わせた複合材料であっても構わない。
【００４９】
上記実施形態においては、補強部材１４、２５および遮炎部材２８を不燃性であるステンレス製としたが、鉄等の不燃性である金属等は、もちろんのこと、難燃性の材料にて補強部材および遮炎部材を構成しても構わない。
【００５０】
上記実施形態においては、防火仕様の障子３および建具１について説明したが、防火仕様に限らず、非防火仕様の障子および建具であっても構わない。非防火仕様の場合には、上述した防火仕様の障子３および建具１のような、補強部材１４、２５、遮炎部材２８および熱膨張性黒鉛３０は設けられていなくとも構わない。
【００５１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  建具、２  躯体、３  障子(内障子、外障子)、１０  枠体、１０ａ  開口、
１５  板ガラス、１６  骨材、１７  複層ガラス、２０  上框（框材）、
２１  下框（框材）、２２  戸先框（框材）、２３  召合せ框（框材）
３１  突合せ框（框材）
【図１】
2015197004.tif 000003
【図２】
2015197004.tif 000004
【図３】
2015197004.tif 000005
【図４】
2015197004.tif 000006
【図５】
2015197004.tif 000007
【図６】
2015197004.tif 000008
【図７】
2015197004.tif 000009